(57)【特許請求の範囲】
【請求項１】
表示手段と、
少なくとも１フレームの画像データを記憶する第１の記憶手段と、
上記第１の記憶手段から読み出された１フレームの画像データを複数のブロックの画像データとして記憶する第２の記憶手段と、
上記１フレームの画像データを上記第１の記憶手段に書き込み、上記第１の記憶手段から各ブロックの画像データを所定の時間間隔で読み出し、読み出した画像データを上記第２の記憶手段の所定の領域に記憶させ、当該記憶された所定の領域に対応する上記表示手段の位置に各ブロックを上記所定の時間間隔で表示させ、当該表示されたブロックの画像データが記憶された領域を上記第２の記憶手段において上記所定の時間間隔内で上記表示手段の表示時間ごとに他の領域に移動させることで、上記表示手段に表示された上記画像データの各ブロックを上記１フレームに対応する表示画面内で所定の順番で移動するように表示させる制御手段と、
を備えた画像表示装置。
【請求項２】
上記制御手段は、外部より設定された分割定数に応じて、上記１フレームの画像を（ｍ×ｎ）（ｍ、ｎは自然数）ブロックに分割する
請求項１記載の画像表示装置。
【請求項３】
初期状態において、上記第２の記憶手段に所定の初期値が記憶され、当該初期値に応じて上記表示手段に白または黒の何れかの色を表示する
請求項１記載の画像表示装置。
【請求項４】
上記入力された画像データまたは上記第１の記憶手段に記憶されている画像データの何れかを上記制御手段からの選択信号に応じて選択し、選択された画像データを上記第２の記憶手段に出力する選択回路をさらに有する
請求項１記載の画像表示装置。
【請求項５】
上記第１の記憶手段は、上記入力された画像信号が順次書き込まれ、上記制御手段により指定されたアドレスから記憶データが読み出されるメモリにより構成されている
請求項１記載の画像表示装置。
【請求項６】
上記第２の記憶手段は、上記制御手段により指定されたアドレスにデータが書き込まれ、記憶されている画像データが上記表示手段に順次読み出されるメモリにより構成されている請求項１記載の画像表示装置。
【請求項７】
少なくとも１フレームの画像データを第１の記憶手段に書き込み、
上記第１の記憶手段から１フレームの画像データを複数のブロックの画像データとして所定の時間間隔で読み出し、読み出した画像データを第２の記憶手段の所定の領域に書き込み、
当該書き込まれた所定の領域に対応する表示手段の位置に各ブロックを上記所定の時間間隔で表示し、
当該表示されたブロックが記憶された領域を上記第２の記憶手段において上記所定の時間間隔内で上記表示手段の表示時間ごとに他の領域に移動することで、
上記表示手段に表示された上記画像データの各ブロックを上記１フレームに対応する表示画面内で所定の順番で移動するように表示させる
画像表示方法。
【発明の詳細な説明】
【０００１】
【発明の属する技術分野】
本発明は、画像表示装置、特に画像表示開始または終了、若しくは表示画面切り換え（シーンチェンジ）などのときに複数のブロックに分割された一フレームの画像をブロックごと順次表示または消去するフェードインおよびフェードアウト機能を有する画像表示装置およびその画像表示方法に関するものである。
【０００２】
【従来の技術】
画像表示装置、例えば、ビデオカメラなどにおいて、撮像回路から入力される映像信号を表示する表示回路では、画像表示開始、表示終了または表示画面切り換えのとき、表示画面を瞬時切り換えるより、何らかの手段で表示画面を徐々に変化させて、最後に完全に新しい画面に切り換わる特殊効果処理、いわゆるフェードインまたはフェードアウト技術が取り入れられている。これまでにフェードインおよびフェードアウト技術に関して種々の方式が提案されている。
【０００３】
フェードインまたはフェードアウト技術の簡単な例として、例えば、表示開始のとき、画面全体を白または黒の背景色から、輝度または色彩を徐々に変化させ、最後に撮像回路から入力される画像信号に切り換え、表示終了のとき、通常の表示画面から輝度または色彩などを徐々に変化させ、最後に表示画面を白または黒の背景色に変化させる。
【０００４】
【発明が解決しようとする課題】
ところで、上述した従来の画像表示装置における特殊効果処理では、例えば、画面の切り換えが単純であり、通常表示画面全体に対して一律に輝度または色彩の変化を行い、表示画面を幾つかの部分画面に分割してそれぞれの分割部分を処理することができなかった。また、高度な特殊処理を実現しようとすると、そのための処理装置が複雑となり、画像表示装置のコスト増が避けられないという不利益がある。
【０００５】
本発明は、かかる事情に鑑みてなされたものであり、その目的は、撮像装置などから送信されてきたディジタル化した画像信号をメモリおよび制御回路などから構成された処理装置により転送することにより、大きなシーンチェンジなどにおいて、複数のブロックに分割された画面をブロックごとに処理することができ、簡単な回路構成により様々な特殊映像効果を実現できる画像表示装置およびその表示方法を提供することにある。
【０００６】
【課題を解決するための手段】
上記目的を達成するため、本発明の画像表示装置は、少なくとも１フレームの画像データを記憶する第１の記憶手段と、上記第１の記憶手段から読み出された１フレームの画像データを複数のブロックの画像データとして記憶する第２の記憶手段と、上記１フレームの画像データを上記第１の記憶手段に書き込み、上記第１の記憶手段から各ブロックの画像データを所定の時間間隔で読み出し、読み出した画像データを上記第２の記憶手段の所定の領域に記憶させ、当該記憶された所定の領域に対応する上記表示手段の位置に各ブロックを上記所定の時間間隔で表示させ、当該表示されたブロックの画像データが記憶された領域を上記第２の記憶手段において上記所定の時間間隔内で上記表示手段の表示時間ごとに他の領域に移動させることで、上記表示手段に表示された上記画像データの各ブロックを上記１フレームに対応する表示画面内で所定の順番で移動するように表示させる制御手段と、を備えている。
【０００７】
また、本発明では、好適には、上記表示手段は、所定の時間間隔で上記第２の記憶手段から記憶データを順次読み出し、それに基づいて一フレームの画像を表示し、上記制御手段は、上記表示手段に表示された各ブロックの画像が所定の方向に移動するように上記第２の記憶手段に記憶されている各ブロックの画像データを上記表示手段における上記画像表示の時間間隔毎に、上記第２の記憶手段の異なる領域に移動する。
【０００８】
また、本発明の画像表示方法は、少なくとも１フレームの画像データを第１の記憶手段に書き込み、上記第１の記憶手段から１フレームの画像データを複数のブロックの画像データとして所定の時間間隔で読み出し、読み出した画像データを第２の記憶手段の所定の領域に書き込み、当該書き込まれた所定の領域に対応する表示手段の位置に各ブロックを上記所定の時間間隔で表示し、当該表示されたブロックが記憶された領域を上記第２の記憶手段において上記所定の時間間隔内で上記表示手段の表示時間ごとに他の領域に移動することで、上記表示手段に表示された上記画像データの各ブロックを上記１フレームに対応する表示画面内で所定の順番で移動するように表示させる。
【０００９】
さらに、本発明では、上記第２のメモリに書き込まれた各ブロックの画像データを上記画像表示の時間間隔毎に最初の書き込みデータ領域から他の領域に順次移動し、上記一フレームの画像における分割された各ブロックの画像データがすべて上記第２のメモリに転送したあと、上記入力された画像データを上記第２のメモリに転送する。
【００１０】
本発明によれば、表示開始、終了またはシーンチェンジなど表示画面切り換えのとき、入力された画像データの所定のフレームが第１のメモリに記憶され、当該一フレームの画像が予め設定された分割定数で複数のブロックに分割され、分割された各ブロックの画像データが所定の順番で第１のメモリから読み出されて、第２のメモリの所定の領域に書き込まれる。表示手段は第２のメモリの記憶データに応じた画像を所定の時間間隔で表示するので、表示画面においては分割された一フレームの画像の各ブロックが所定の順番で現れる。
【００１１】
さらに、第２のメモリに記憶されている各ブロックの画像データが上記表示手段の表示時間ごとに最初の記憶領域から移動することにより、表示画面には各ブロックが現れ、所定の方向に順次移動するような特殊な視覚効果を実現される。分割された各ブロックの画像がすべて表示画面に表示されると、選択回路により入力された画像信号が選択され、第２のメモリに書き込まれるので、入力された画像データに応じた画像信号が表示画面表示される。
【００１２】
【発明の実施の形態】
図１は本発明に係る画像表示装置の一実施形態を示す回路図である。
図示のように、本実施形態の画像表示装置は、レンズ１、ＣＣＤ撮像部２、サンプルホールドおよびＡＧＣ（自動利得制御）回路３、アナログ／ディジタル変換器４およびディジタル信号処理回路５からなる撮像装置１０、メモリ回路６、ディジタル／アナログ変換器７および制御回路８により構成されている。
【００１３】
撮像装置１０において、レンズ１は、入射光をＣＣＤ撮像部２に集光する。ＣＣＤ撮像部２は、入射光により生じたイメージを電気信号（以下、画像信号という）Ｓ２に変換する。ＣＣＤ撮像部２から得られた画像信号Ｓ２はアナログ／ディジタル変換器４に入力され、例えば、画像信号Ｓ２の輝度レベルおよび色に対応したディジタル画像データＳ４が出力される。当該ディジタル画像データＳ４は、ディジタル信号処理回路５に出力される。
【００１４】
ディジタル信号処理回路５において、所定の信号処理が行われる。例えば、輝度補正、補間処理または手振れ補正処理など種々の処理が施される。信号処理の結果、画像データＳD が出力され、メモリ回路６に出力される。
【００１５】
メモリ回路６は、入力された画像データＳD を保持し、保持したデータをディジタル／アナログ変換器７に供給する。ディジタル／アナログ変換器７は、メモリ回路６からの画像データをアナログ信号ＳI に変換し、図示していない表示装置、例えば、ＣＲＴ、液晶ディスプレイなどの表示装置に出力し、これらの表示装置により映像を表示する。
【００１６】
上述した撮像装置１０、メモリ回路６、ディジタル／アナログ変換器および表示装置の各部分の動作は、例えば、制御回路８により制御されている。制御回路８は、例えば、ＣＰＵ（中央処理装置）を内蔵するマイクロプロセッサなどにより構成され、予め設定された処理手順に従った上述した各部分回路の動作を制御する制御信号ＳC を発生し、それぞれの回路に転送する。
【００１７】
本実施形態においては、表示開始、表示終了またはシーンチェンジなどのとき、制御回路８の制御に基づき撮像装置１０から供給された画像データに対してメモリ回路６において所定の処理を行うことにより、一フレームの画像を複数のブロックに分割し、分割された各ブロックの画像に対応する画像データそれぞれ転送表示させることにより、各ブロックを所定の順番で表示画面に表示する特殊効果を実現される。
【００１８】
なお、図１においては、撮像装置１０から出力された画像データを処理することにより、特殊効果を実現しているが、本発明ではこれに限定されるものではなく、撮像装置１０以外の他の画像出力装置、例えば、ディジタルＶＴＲ（ビデオテープレコーダ）など画像記録装置により再生した画像データに対しても同様な処理を実現できることはいうまでもない。
【００１９】
図２は、メモリ回路６の内部構成を示す回路図である。図示のように、メモリ回路６は、メモリ６２（第１のメモリ）、選択回路６４およびメモリ６６（第２のメモリ）により構成されている。
【００２０】
メモリ６２は、入力された画像データＳD を保持し、保持した画像データのうち制御回路８により指定された画像データが読み出され、選択回路６４に出力される。
選択回路６４は、入力された画像データＳD またはメモリ６２から読み出した画像データの何れかを、制御回路８からの選択制御信号ＳＥＬに応じて選択して出力する。
メモリ６６は、選択回路６４から出力された画像データを保持し、さらに保持した画像データをディジタル／アナログ変換器７に出力する。
【００２１】
通常の画像表示を行うとき、制御回路８からの選択制御信号ＳＥＬに応じて、選択回路６４は入力された画像データＳD を選択して出力する。メモリ６６は、選択回路から入力された画像データを保持し、保持した画像データを順次ディジタル／アナログ変換器７に出力される。
これによって、入力された画像データが順次にアナログ信号に変換され、表示装置に出力されるので、表示装置において入力された画像データＳD に応じた画像が表示される。
【００２２】
一方、シーンチェンジなどのとき、入力された画像データＳD から一フレームの画像に対応した画像データがメモリ６２に入力され、当該メモリ６２により記憶される。このとき、選択回路６４は、メモリ６２の出力側に切り換えられ、メモリ６２から出力される画像データを選択して、メモリ６６に出力する。この場合、制御回路８の制御に基づき、メモリ６２に記憶されている一フレームの画像データが複数のブロックに分割され、各ブロックのデータが所定の順番で順次読み出され、選択回路６４に出力される。
【００２３】
図３は、本実施形態における画像データの分割の様子を示している。図示のように、メモリ６２に記憶されている一フレームの画像がブロック１からブロックＮまでのＮブロックに分割されている。なお、図３においては、縦方向に５分割されているが、本発明はこれに限定されるものではなく、例えば、外部から分割数Ｎを任意に設定可能にすることができる。
【００２４】
メモリ６２において、一フレームの画像に対応する画像データが順次入力され、記憶される。読み出しのとき、図３に示すように、例えば、ブロック１に対応する画像データがまず読み出され、選択回路６４に出力される。出力された画像データが選択回路６４を介してメモリ６６に転送され、メモリ６６の所定のデータ領域に記憶される。メモリ６６に記憶されている画像データが順次読み出されディジタル／アナログ変換器７に出力され、アナログ信号に変換される。このため、表示装置においてはブロック１の画像が所定の位置にまず現れる。
【００２５】
次に、メモリ６２からブロック２の画像データが読み出されて出力される。ブロック２の画像データが選択回路６４を介してメモリ６６に転送され、メモリ６６の所定の領域に記憶される。このため、表示装置においては、ブロック１の画像に続いてブロック２の画像が現れる。
【００２６】
上述のように、ブロックＮまでの各ブロックの画像データが順次読み出され、選択回路６４を介してメモリ６６に転送され、メモリ６６に記憶されるので、表示装置においてブロック１からブロックＮまでの各ブロックの画像が順次現れる。そして、一フレームの画像が全部表示画面に現れたとき、選択回路６４により、入力画像データＳD が選択される。これに応じて表示装置は入力された画像データＳD に応じた画像が表示される。即ち、通常の表示状態に切り換わる。
【００２７】
なお、上述した画像データの転送処理において、メモリ６２から読み出した各ブロックの画像データがメモリ６６において各表示ごとに異なる記憶領域に書き込むことにより、表示装置においては、各ブロックの画像が移動するように表示される。
【００２８】
図４は本実施形態における表示開始および表示終了時の一表示例を示している。図示のように、表示開始のとき初期画面、即ち、白または黒の背景色からなる表示画面に（図４Ａ）、まずブロック１が画面の左上に表示され、そして、ブロック１が画面の上から下方に向かって移動し、最後に表示画面の左下に達すると、その位置に停止する（図４Ｂ）。次に、ブロック２もブロック１とほぼ同じように、画面の左上から現れ、下方に向かって移動し、ブロック１の上に達するとそこで停止する（図４Ｃ）。
【００２９】
ブロック１からブロック５までの五つのブロックが上述した動作に従って順次表示されると、表示画面の左側の一列のブロックが全部表示される。次に、二列目の各ブロック、即ち、ブロック６、ブロック７などの各ブロックが一列目のブロック１〜ブロック５と同じように順次画面に現れて、画面の上から下方に向かって移動し、所定の位置に停止する。
【００３０】
上述した動作がブロックＮまで順次行われる。その結果、分割された一フレームの画像の各ブロックが全部表示される。そして、制御回路８の制御に基づき、図２に示す選択回路６４が切り換わり、入力された画像データＳD が選択され、メモリ６６に入力されるので、入力された画像データＳD に応じた画面が表示される。
このような処理により、表示開始後、分割された各ブロックの画像が画面の上部から現れて、下方に向かって移動して最後に所定の場所に停止する。即ち、ブロックが表示画面の上から下に流れてくる視覚的効果が得られる。表示画面にすべてのブロック所定の場所に到達すると、通常の表示が開始する。
【００３１】
図５は、図３に示す表示開始時の動作を示すタイミングチャートである。以下、図５を参照しつつ、図４に示す表示開始時の画像データの転送、画面表示などの各動作のタイミングを説明する。
【００３２】
図５（ａ）は、図２に示すメモリ６２のデータ読み出しのタイミングを示しいている。同図（ｂ）は、メモリ６６におけるデータの書き込みのタイミングを示している。そして同図（ｃ）は、表示装置における表示のタイミングである。
【００３３】
図示のように、表示開始後、まず、メモリ６２からブロック１の画像データが読み出されて、メモリ６６の所定の領域に書き込まれる。ここで、メモリ６６の記憶データに基づき、表示装置において一回の表示が行われる。このとき表示画面では、ブロック１が所定の位置に、例えば、画面の左上に現れる。次に、ブロック１の画像データがメモリ６６の最初の書き込み領域から他の領域に移動する。移動した後、表示装置において２回目の表示が行われる。このとき、表示画面ではブロック１が移動し、例えば、一回目の表示位置より下方の所定の位置に現れる。このようにメモリ６６においてブロック１の画像データが順次移動しながら表示装置により表示されるので、表示画面ではブロック１が左上から現れて、下方に流れて画面の左下に停止する。
【００３４】
ブロック１に続いて、ブロック２の画像データがメモリ６２から読み出され、選択回路６４を介してメモリ６６に転送される。画像データ転送した後表示装置で画像が表示される。これによって、例えば、画面の左上にブロック２が現れる。そして、メモリ６６においてブロック２の画像データが移動され、その後表示装置において移動後のブロック２が表示される。ブロック２がブロック１の上まで移動したら、停止する。このため、表示画面では、ブロック１に続いてブロック２が現れて、下方へ流れていく。そして、ブロック１の上の位置に到達すると、停止する。
【００３５】
ブロック２に続いて、ブロック３，４，５が順次表示されるので、表示画面における左側一列目の各ブロックがすべて表示される。次に、ブロック６から２列目の各ブロックが同じように順次画面に表示される。この動作が最後のＮブロックまで繰り返して行われる。
【００３６】
上述した動作により、表示開始のとき、複数に分割されたブロックが順次画面に現れ、そして画面の上から下方に向かって流れてそれぞれ所定の位置に停止する。そして、一フレームにの画像の各ブロックがすべて所定の位置に表示されると、選択回路６４が切り換えられ、入力される画像データがメモリ６６に転送されるので、それに応じて通常の画像が表示装置により表示される。
【００３７】
図４に示すように、表示終了のとき上述した表示開始の場合とは逆に、例えば、通常の表示画面から動作が始まり、表示終了直前の一フレームの画像データがメモリ６２に記憶される。メモリ６２に記憶されている一フレームの画像が複数のブロックに分割され、各ブロックに対応する画像データが順次、選択回路６４を介してメモリ６６に転送される。メモリ６６において、転送されてきた各ブロックの画像データが書き込まれ、さらに順次移動するので、表示画面では、各ブロックが順次画面から外に向かって移動し、移動した後の場所に白または黒の背景色で埋められる。これによって、一フレームの画像の各ブロックが順次画面外に向かって流れて画面から消え、最後に表示画面全体が白または黒の背景色になると、処理が終了する。
【００３８】
なお、図４には表示開始および表示終了時の処理手順を示しているが、シーンチェンジのときは、これとほぼ同様な処理により実現できる。例えば、シーンチェンジ開始のとき、図２に示すメモリ６２に新しいシーンの最初の一フレームの画像データが記憶される。このとき表示画面は、シーンチェンジ前の画像を表示し続ける。そして、メモリ６２から分割された各ブロックの画像データが順次読み出され、選択回路６４により選択されメモリ６６に転送される。この結果、ブロック１からブロックＮまでの各ブロックが順次画面に現れ、シーンチェンジ前の画像が順次新しい画像の各ブロックにより置き換えられる。一フレームの画像が全部新しい画像に置き換えられたとき、選択回路６４が切り換わり、入力される画像データが選択され、メモリ６６に転送され、これに応じて表示装置においてシーンチェンジ後の画像が表示される。
【００３９】
以上説明したように、本実施形態によれば、画像表示開始、終了またはシーンチェンジなど画面切り換えのとき、一フレームの画像データをメモリ６２に記憶し、当該一フレームの画像を予め指定された分割数で複数のブロックに分割し、分割した各ブロックの画像に対応した画像データをメモリ６２から順次読み出して、選択回路６４により選択して、メモリ６６の所定の領域に書き込み、メモリ６６において、書き込まれた各ブロックの画像データを所定の領域まで順次移動する。メモリ６６の記憶データがディジタル／アナログ変換器７によりアナログ信号に変換され、表示装置により表示されるので、表示画面において分割された各ブロックの画像が順次画面に現れ、所定の位置まで移動して停止する。すべでのブロックが所定の位置に表示したとき、選択回路により入力される画像データＳD を選択してメモリ６６に転送する。この結果、画面切り換えのときブロック画像が順次画面に現れ、所定の位置まで移動する画面切り換え方法を実現でき、簡単な回路構成で特殊視覚効果を実現できる。
【００４０】
【発明の効果】
以上説明したように、本発明の画像表示装置によれば、回路構成を複雑化させることなく、簡単な回路により画面切り換え時の特殊視覚効果を実現できる利点がある。また、画面の切り換え動作は、マイクロプロセッサなどを組み込まれた制御回路により制御されるので、ハードウェアを変更することなく、マイクロプロセッサの制御プログラムを書き換えることにより、各種の特殊効果を容易に実現できる。
【図面の簡単な説明】
【図１】本発明に係る画像表示装置の一実施形態を示す回路図である。
【図２】メモリ回路の内部構成を示す回路図である。
【図３】複数のブロックに分割された一フレームの画像を示す図である。
【図４】表示開始時および表示終了時の画面変化を示す図である。
【図５】表示開始時の動作のタイミングを示すタイミングチャートである。
【符号の説明】
１…レンズ、２…ＣＣＤ撮像部、３…サンプルホールドおよびＡＧＣ回路、４…アナログ／ディジタル変換器、５…ディジタル信号処理回路、６…メモリ回路、７…ディジタル／アナログ変換器、８…制御回路、１０…撮像装置、６２，６６…メモリ、６４…選択回路。
【図１】
0004305974.tif 000002
【図２】
0004305974.tif 000003
【図３】
0004305974.tif 000004
【図４】
0004305974.tif 000005
【図５】
0004305974.tif 000006